(57)【要約】【課題】負荷状況の変化に対応した負荷分散を行う。【解決手段】各機器２をグルーピングしたグループ情報に基づいて、一定の周期で各機器２を順に停止し、所定の条件を満たした場合に当該機器２を起動する間欠運転手段１２と、間欠運転手段１２による各機器２の停止時間を記録する停止時間記録手段１３と、停止時間記録手段１３に記録された各機器２の前回の停止時間に基づいて、当該停止時間が長い順に所定の台数ごとにグルーピングを行うグルーピング手段１４とを備えた。【選択図】図１
2015040678.tif 000002
【特許請求の範囲】
【請求項１】
制御空間内に設置された複数の機器を間欠運転する運転制御装置において、
前記各機器をグルーピングしたグループ情報に基づいて、一定の周期で前記各機器を順に停止し、所定の条件を満たした場合に当該機器を起動する間欠運転手段と、
前記間欠運転手段による前記各機器の停止時間を記録する停止時間記録手段と、
前記停止時間記録手段に記録された前記各機器の前回の停止時間に基づいて、当該停止時間が長い順に所定の台数ごとに前記グルーピングを行うグルーピング手段と
を備えたことを特徴とする運転制御装置。
【請求項２】
前記間欠運転手段は、前記グルーピング手段によるグループ情報に基づいて、最も停止時間が長い前記機器を停止し、その後、順に、直近で停止していないグループに属し、かつ、未だ停止していない前記機器の中で停止時間が最も長い機器を停止する
ことを特徴とする請求項１記載の運転制御装置。
【請求項３】
制御空間内に設置された複数の機器を間欠運転する運転制御方法において、
前記各機器をグルーピングしたグループ情報に基づいて、一定の周期で前記各機器を順に停止し、所定の条件を満たした場合に当該機器を起動する間欠運転ステップと、
前記間欠運転ステップにおいて前記各機器の停止時間を記録する停止時間記録ステップと、
前記停止時間記録ステップにおいて記録した前記各機器の前回の停止時間に基づいて、当該停止時間が長い順に所定の台数ごとに前記グルーピングを行うグルーピングステップと
を有することを特徴とする運転制御方法。
【発明の詳細な説明】
【技術分野】
【０００１】
この発明は、制御空間内に設置された複数の機器を間欠運転する運転制御装置および運転制御方法に関するものである。
【背景技術】
【０００２】
省エネ目的で空調機器などを間欠運転する場合、負荷分散のために機器を停止するタイミングを一定間隔ずらすことがある。その際、近くにある機器同士をグルーピングすることで、近くにある機器を連続して停止しないようにすることができる。図６に示す例では、制御空間内に設置された８台の空調機器を隣接する機器同士で４つのグループにグルーピングした場合を示している。そして、このグルーピングに基づき、図７に示すように間欠運転を行う。
また、特許文献１に開示された手法では、外気を導入しながら空調空間の温度を調整する運転制御において、外気温度に応じて熱源装置の作動と送風装置の作動を適応的にオン・オフ制御している。これにより、空調空間の温度環境を安全に保ちながら空調機器の作動に要するエネルギを低減させることができる。
【先行技術文献】
【特許文献】
【０００３】
【特許文献１】特開２００４−１２１０８号公報
【発明の概要】
【発明が解決しようとする課題】
【０００４】
機器の発停は連携している機器や室内環境に対する影響が大きい。そのため、機器の負荷分散を適切に行わなければ安定した運用ができない。しかしながら、従来の手法では、機器の取り付け位置などによる物理的な状況を考慮した負荷分散は一意に決まるが、負荷状況は変動する。したがって、負荷状況によっては機器の運転状況に偏りができ、大本の機器（外調機やＡＨＵ）の制御が不安定になる恐れがある。図７に示す例においても、運転機器が少ない時間帯や多い時間帯が存在し、制御が不安定になっている。
また、特許文献１に開示された手法についても、熱源装置の運転を考慮して空調機器を間欠運転しているが、室内の空調負荷は刻々と変化しており、機器の運転状況に偏りが生じ、制御が不安定になる恐れがある。
【０００５】
この発明は、上記のような課題を解決するためになされたもので、負荷状況の変化に対応した負荷分散を行うことができる運転制御装置および運転制御方法を提供することを目的としている。
【課題を解決するための手段】
【０００６】
この発明に係る運転制御装置は、各機器をグルーピングしたグループ情報に基づいて、一定の周期で各機器を順に停止し、所定の条件を満たした場合に当該機器を起動する間欠運転手段と、間欠運転手段による各機器の停止時間を記録する停止時間記録手段と、停止時間記録手段に記録された各機器の前回の停止時間に基づいて、当該停止時間が長い順に所定の台数ごとにグルーピングを行うグルーピング手段とを備えたものである。
【０００７】
また、この発明に係る運転制御方法は、各機器をグルーピングしたグループ情報に基づいて、一定の周期で各機器を順に停止し、所定の条件を満たした場合に当該機器を起動する間欠運転ステップと、間欠運転ステップにおいて各機器の停止時間を記録する停止時間記録ステップと、停止時間記録ステップにおいて記録した各機器の前回の停止時間に基づいて、当該停止時間が長い順に所定の台数ごとにグルーピングを行うグルーピングステップとを有するものである。
【発明の効果】
【０００８】
この発明によれば、上記のように構成したので、負荷状況の変化に対応した負荷分散を行うことができる。
【図面の簡単な説明】
【０００９】
【図１】この発明の実施の形態１に係る運転制御装置の構成を示す図である。
【図２】この発明の実施の形態１に係る運転制御装置の動作を示すフローチャートである。
【図３】この発明の実施の形態１に係る運転制御装置によるグルーピングを示す図である。
【図４】この発明の実施の形態１に係る運転制御装置による間欠運転を示す図である。
【図５】この発明の実施の形態１に係る運転制御装置による別のグルーピングを示す図である。
【図６】従来の運転制御装置によるグルーピングを示す図である。
【図７】従来の運転制御装置による間欠運転を示す図である。
【発明を実施するための形態】
【００１０】
以下、この発明の実施の形態について図面を参照しながら詳細に説明する。
実施の形態１．
図１はこの発明の実施の形態１に係る運転制御装置１の構成を示す図である。
運転制御装置１は、制御空間内に設置された複数の機器２を間欠運転するものである。この運転制御装置１は、図１に示すように、初期グループ情報記録手段１１、間欠運転手段１２、停止時間記録手段１３、グルーピング手段１４および可変グループ情報記録手段１５から構成されている。
【００１１】
初期グループ情報記録手段１１は、制御空間内の各機器２の設置位置などによる物理的な状況を考慮した負荷分散に基づいて当該各機器２をグルーピングした情報（グループ情報）を記録するものである。
【００１２】
間欠運転手段１２は、初期グループ情報記録手段１１および可変グループ情報記録手段１５に記録されたグループ情報に基づいて、一定の周期で各機器２を順に停止し、所定の条件を満たした場合に当該機器２を起動することで、各機器２の間欠運転を行うものである。
停止時間記録手段１３は、間欠運転手段１２による各機器２の停止時間を記録するものである。
【００１３】
グルーピング手段１４は、停止時間記録手段１３に記録された各機器２の前回の停止時間に基づいて、当該停止時間が長い順に所定の台数ごとにグルーピングを行うものである。
可変グループ情報記録手段１５は、グルーピング手段１４によるグルーピング結果を示すグループ情報を記録するものである。
【００１４】
次に、上記のように構成された運転制御装置１の動作について、図２〜４を参照しながら説明する。なお以下では、運転制御装置１として、空調機器２を間欠運転させる運転制御装置１を例にして説明を行う。また、初期グループ情報記録手段１１は、図３（ａ）に示すように、制御空間内に設置された８台の空調機器２を、近くにあるもの同士で４つのグループにグルーピングし、そのグループ情報を記録している。
【００１５】
運転制御装置１による間欠運転では、図２に示すように、まず、間欠運転手段１２は、初期グループ情報記録手段１１に記録されたグループ情報に基づいて、一定の周期で各機器２を順に停止し、所定の条件を満たした場合（制御空間内に設けられた温度計（不図示）による計測値が予め設定した上限温度に達した場合）に当該機器２を起動することで、各機器２の間欠運転を行う（ステップＳＴ１、間欠運転ステップ）。このステップＳＴ１の処理は、従来の間欠運転の処理と同様であり、図７と同様の運転状態となる。なお、機器２を停止する際に、その停止対象となる機器２が複数存在する場合には、停止タイミングを等間隔空けて各機器２の停止を行う。
【００１６】
次いで、停止時間記録手段１３は、間欠運転手段１２による各機器２の停止時間を記録する（ステップＳＴ２、停止時間記録ステップ）。
【００１７】
次いで、グルーピング手段１４は、停止時間記録手段１３に記録された各機器２の前回の停止時間に基づいて、当該停止時間が長い順に所定の台数ごとにグルーピングを行う（ステップＳＴ３、グルーピングステップ）。ここでは、グルーピング手段１４は、停止時間が長い方から順に、設置数のうちの半数（図３（ｂ）では４台）を可変グループ１（低負荷グループ）とし、残りの半数を可変グループ２（高負荷グループ）とする。
【００１８】
次いで、間欠運転手段１２は、可変グループ情報記録手段１５に記録されたグループ情報に基づいて、一定の周期で各機器２を順に停止し、所定の条件を満たした場合（制御空間内に設けられた温度計（不図示）による計測値が予め設定した上限温度に達した場合）に当該機器２を起動することで、各機器２の間欠運転を行う（ステップＳＴ４、間欠運転ステップ）。このステップＳＴ４における間欠運転では、まず、可変グループ情報記録手段１５に記録されたグループ情報に基づいて、最も停止時間が長い機器２を停止する。次に、順に、直近で停止していないグループに属し、かつ、未だ停止していない機器２の中で停止時間が最も長い機器２を停止する。これにより、負荷状況の変化に対応した負荷分散を行うことができる。
その後、シーケンスはステップＳＴ２に戻り、以下同様の処理を繰り返す。
【００１９】
以上のように、この実施の形態１によれば、各機器２をグルーピングしたグループ情報に基づいて、一定の周期で各機器２を順に停止し、所定の条件を満たした場合に当該機器２を起動する間欠運転手段１２と、間欠運転手段１２による各機器２の停止時間を記録する停止時間記録手段１３と、停止時間記録手段１３に記録された各機器２の前回の停止時間に基づいて、当該停止時間が長い順に所定の台数ごとにグルーピングを行うグルーピング手段１４とを備えたので、負荷状況の変化に対応した負荷分散を行うことができる。
【００２０】
なお上記では、負荷状況の判断基準として前回の間欠運転における各機器２の停止時間を用いたが、これに限るものではなく、その他の判断基準（例えば、機器２を停止している間の温度変化や、在室状況）を用いるようにしてもよい。
また上記では、グルーピングを行う際に均等に２つのグループに分ける場合について示したが、可変グループ数を２個以上にしたり、図５に示すように各グループの機器数を均等ではなく偏りを持たせるようにしてもよい。
【００２１】
また上記では、初期グルーピングにおいて機器２の設置位置に基づく物理的な状況を考慮したグルーピングを行う場合について示した。一方、負荷状況が似ている機器２は、エリア的にも近いことが考えられる。したがって、物理的なグルーピングを行わなくても、可変のグルーピングだけであっても簡易的にエリアの負荷分散も賄えられると考えられる。
【００２２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２３】
１  運転制御装置
２  機器
１１  初期グループ情報記録手段
１２  間欠運転手段
１３  停止時間記録手段
１４  グルーピング手段
１５  可変グループ情報記録手段
【図１】
2015040678.tif 000003
【図２】
2015040678.tif 000004
【図３】
2015040678.tif 000005
【図４】
2015040678.tif 000006
【図５】
2015040678.tif 000007
【図６】
2015040678.tif 000008
【図７】
2015040678.tif 000009